(57)【要約】【課題】実用上の有益な機能を付加することにより、即座に廃棄されるのを防止し、もって宣伝、広告効果を高めることができる広告用印刷物を提供する。【解決手段】広告用印刷物１は、薄板状であって一部分の領域にフレネルレンズ４０より成るレンズ部１０を備える。表面の側の前記レンズ部１０を除く領域には広告のための印刷が施される広告表示面２が形成されている。裏面の側の前記レンズ部１０を除く領域にはマグネットシート５による磁気吸着面３が形成されている。前記広告表示面２は、前記フレネルレンズ４０を一体に備える透明の合成樹脂板４の一方の面に形成されており、前記合成樹脂板４の他方の面に前記フレネルレンズ４０を臨ませる開口部５０を有するマグネットシート５が貼着されている。【選択図】図３
2016212317.tif 000002
【特許請求の範囲】
【請求項１】
薄板状であって一部分の領域にフレネルレンズより成るレンズ部を備え、表面の側の前記レンズ部を除く領域には広告のための印刷が施される広告表示面が形成され、裏面の側の前記レンズ部を除く領域にはマグネットシートによる磁気吸着面が形成されてなる広告用印刷物。
【請求項２】
前記広告表示面は、前記フレネルレンズを一体に備える透明の合成樹脂板の一方の面に形成されており、前記合成樹脂板の他方の面に前記フレネルレンズを臨ませる開口部を有するマグネットシートが貼着されている請求項１に記載された広告用印刷物。
【請求項３】
前記マグネットシートは、一方の面にＮ，Ｓの各磁極を交互に帯磁させて前記磁気吸着面が形成されており、非帯磁の他方の面に両面粘着シートを介して前記合成樹脂板が貼設されている請求項１に記載された広告用印刷物。
【請求項４】
前記広告表示面は、前記フレネルレンズを臨ませる開口部を有するシート材の一方の面に形成されており、前記シート材の他方の面に前記フレネルレンズを臨ませる開口部を有するマグネットシートが貼設されるとともに、各開口部に前記フレネルレンズを臨ませた状態でフレネルレンズの外周縁がシート材とマグネットシートとの間で挟持されている請求項１に記載された広告用印刷物。
【請求項５】
請求項１〜４のいずれかに記載された広告用印刷物であって、前記磁気吸着面に弱粘着の粘着剤を介して剥離シートが貼着されている広告用印刷物。
【発明の詳細な説明】
【技術分野】
【０００１】
この発明は、例えば商品やサービスの宣伝や広告のために一般家庭などに配布される広告用印刷物に関し、この発明は特に、冷蔵庫など、鉄板製の調度品や家具などの表面に磁気吸着させることが可能な広告用印刷物に関する。
【背景技術】
【０００２】
従来、商品やサービスの宣伝や広告を行うのに、簡易で多くの情報を掲載することができるチラシが広く用いられている。チラシは一般家庭の郵便受けなどに投入され、各家庭では、有益な情報が掲載されたチラシは保管し、その他のチラシはすぐに廃棄されるのが通例である。
【０００３】
有益な情報として、例えば、水道、ガス、電気などの故障やトラブルが発生したときに修理などを依頼できる業者の名称や連絡先がある。これらの情報はトラブル発生時に不可欠な情報であるため、各家庭では、業者名と電話番号とを適所にメモ書きしたり、チラシを保管したりする。しかし、メモ書きするのは面倒であって忘れがちであり、多くの情報をメモ書きするには手数がかかる。また、チラシを整理して保管するのも煩雑であり、保管場所が定まらない場合、余程の大事な情報でない限りは廃棄されがちである。
【０００４】
そこで、近年、一般家庭に配布される広告用印刷物としてマグネットを用いたものが提案された（例えば、特許文献１，２参照）。特許文献１に記載のものは、チラシ等の広告用印刷物にゴム製のマグネットを貼付したもので、冷蔵庫などに磁気吸着させることできる。特許文献２に記載のものは、マグネットシートの表面に広告内容を直接印刷したもので、同様に、冷蔵庫などに磁気吸着させることができる。いずれも情報をメモ書きしたり保管したりすることに伴う上記の課題を解決することができるものである。
【先行技術文献】
【特許文献】
【０００５】
【特許文献１】実用新案登録第３１２９２６７３号公報
【特許文献２】実開平５−９０５４４号公報
【発明の概要】
【発明が解決しようとする課題】
【０００６】
しかし、上記した広告用印刷物は、冷蔵庫に磁気吸着させたとき、単なる掲示物に過ぎず、実用性を欠くものである。また、見た目が悪いと、たとえ有益な情報が記載されていても、インターネット等でその情報が容易に取得できる場合には廃棄されがちである。特に、印刷内容が単なる商品やサービスの広告であれば、保管の必要性を欠くため、即座に廃棄されるおそれがあり、宣伝、広告の効果は殆ど期待できない。
【０００７】
この発明は、上記の問題に着目してなされたもので、実用上の有益な機能を付加することにより、即座に廃棄されるのを防止し、もって、宣伝、広告効果を高めることができる広告用印刷物を提供することを目的とする。
【課題を解決するための手段】
【０００８】
この発明による広告用印刷物は、薄板状であって一部分の領域にフレネルレンズより成るレンズ部を備えたものである。表面の側の前記レンズ部を除く領域には広告のための印刷が施される広告表示面が形成され、裏面の側の前記レンズ部を除く領域にはマグネットシートによる磁気吸着面が形成されている。
【０００９】
上記した構成の広告用印刷物においては、裏面の側が磁気吸着面であるので、冷蔵庫などの表面に磁気吸着させて保管することができる。このとき、表面の側の広告表示面は随時人目に触れるので、広告表示面に商品やサービスの広告が印刷されていると、宣伝、広告効果が高められる。また、広告表示面に水道、ガス、電気などの故障やトラブルが発生したときに修理などを依頼できる業者の名称や連絡先などが印刷されていると、トラブル発生時、即座に必要な情報を取得できる。さらに、この発明による広告用印刷物は、実用上の有益な機能として拡大鏡の機能を具備させているので、小さな文字を読むのに便利であり、広告表示面の印刷内容の如何を問わず、即座に廃棄されるのが防止され、宣伝、広告の効果が期待できるものである。
【００１０】
なお、この発明の上記した構成において、「広告表示面」に印刷される広告には、商品やサービスを宣伝するための広告、商品やサービスを提供する主体を宣伝するための広告などが含まれる。
【００１１】
この発明の好ましい実施態様においては、前記広告表示面は、前記フレネルレンズを一体に備える透明の合成樹脂板の一方の面に形成されており、前記合成樹脂板の他方の面に前記フレネルレンズを臨ませる開口部を有するマグネットシートが貼着されている。
【００１２】
この実施態様によると、部品点数が少なく、軽量にして強度に優れた広告用印刷物を得ることができる。
【００１３】
この発明の一実施態様においては、前記マグネットシートは、一方の面にＮ，Ｓの各磁極を交互に帯磁させて前記磁気吸着面が形成されており、非帯磁の他方の面に両面粘着シートを介して前記合成樹脂板が貼設されている。なお、マグネットシートは、この実施態様のような片面着磁のものに限らず、両面着磁のものであってもよい。また、マグネットシートを合成樹脂板に貼設するのに、両面粘着シートに限らず、接着剤を用いてもよい。
【００１４】
この発明の他の実施態様においては、前記広告表示面は、前記フレネルレンズを臨ませる開口部を有するシート材の一方の面に形成されており、前記シート材の他方の面に前記フレネルレンズを臨ませる開口部を有するマグネットシートが貼設されるとともに、各開口部に前記フレネルレンズを臨ませた状態でフレネルレンズの外周縁がシート材とマグネットシートとの間で挟持されている。
【００１５】
この実施態様においては、広告表示面は紙などのシート材により形成することができるので、加工や印刷等が容易であり、製作コストが安価となる。
【００１６】
この発明のさらに他の実施態様においては、前記磁気吸着面に弱粘着の粘着剤を介して剥離シートが貼着されている。
【００１７】
この実施態様によると、磁気吸着面を剥離シートで覆っているので、外部への磁気の影響を軽減することができる。また、剥離シートの表面に印刷を施したり、文字などを手書き表示することができ、用途や機能を一層拡大することが可能となる。
【発明の効果】
【００１８】
この発明の広告用印刷物によれば、冷蔵庫などの表面に磁気吸着させることができるので、特別な保管場所を必要とせず、保管が容易である。また、表面の側の広告表示面が随時人目に触れるので、宣伝、広告効果が高められる。広告表示面に水道、ガス、電気などの修理を依頼できる業者の名称や連絡先などが印刷されている場合、トラブル発生時、即座に必要な情報を取得して迅速に対応できる。さらに、実用上の有益な機能として拡大鏡の機能を備えているので、小さな文字を読むのに便利であり、広告表示面の印刷内容の如何を問わず、即座に廃棄されるのが防止される。そのうえ、薄板状で嵩張らないので、冷蔵庫などの表面に磁気吸着させたとき、突出することがなく邪魔にならず、引っ掛けて脱落するおそれもない。
【図面の簡単な説明】
【００１９】
【図１】この発明の一実施例である広告用印刷物の正面図である。
【図２】図１の実施例の平面図である。
【図３】図１のＡ−Ａ線に沿う断面図である。
【図４】図１の実施例の分解斜視図である。
【図５】図１の実施例の合成樹脂板に形成されたフレネルレンズのプリズム面を示す図である。
【図６】図５のフレネルレンズのプリズム面を拡大して示す断面図である。
【図７】この発明の他の実施例である広告用印刷物の正面図である。
【図８】図７の実施例の平面図である。
【図９】図７のＢ−Ｂ線に沿う断面図である。
【図１０】図７の実施例の分解斜視図である。
【図１１】レンズ部が正方形状の実施例を示す正面図である。
【図１２】レンズ部が中央部に位置する実施例を示す正面図である。
【図１３】外形が円形状の実施例を示す正面図である。
【図１４】この発明の他の実施例を示す背面図である。
【図１５】図１４のＣ−Ｃ線に沿う断面図である。
【発明を実施するための形態】
【００２０】
図１〜図４は、この発明の一実施例である広告用印刷物１の外観および構成を示している。図示例の広告用印刷物１は、平面形状が長方矩形状であり、厚みが０．６〜１．５ｍｍ程度の薄板状のものである。一方の端部領域にはフレネルレンズ４０より成る円形のレンズ部１０を備えており、表面の側のレンズ部１０を除く領域が広告表示面２、裏面の側のレンズ部１０を除く領域が磁気吸着面３になっている。この実施例では、前記フレネルレンズ４０を一体に備える透明の合成樹脂板４の一方の面（表面）４ａに広告表示面２が形成されており、この広告表示面２のレンズ部１０を除く領域に広告のための複数の文字２２が表されている。
【００２１】
前記合成樹脂板４は、０．２〜０．５ｍｍの厚みのアクリルやポリ塩化ビニールなどの合成樹脂材により形成されており、図５および図６に示すように、他方の面（裏面）４ｂの全面に同心円状で階段状の溝４１が密に施されている。各々の溝４１は小さなプリズム面として働き、全体として一枚のレンズ（拡大鏡）と同じ機能を果たすものである。
【００２２】
合成樹脂板４の表面４ａは凹凸のない平滑な面になっており、この平滑な面に不透明の背景部分２１と、その背景部分２１に業者名、電話番号、営業日、営業時間などの広告のための文字２２とがスクリーン印刷により印刷されている。背景部分２１は淡い色のインクで塗り潰されており、文字２２は濃い色のインクで表されている。なお、広告表示面２には文字以外に図柄や写真などを印刷してもよい。なお、合成樹脂板４は、裏面４ｂを平滑な面として広告のための印刷を施し、表面４ａに前記プリズム面を得るための溝加工を施してもよい。
【００２３】
合成樹脂板４の裏面４ｂには、合成樹脂板４のフレネルレンズ４０を臨ませる円形の開口部５０を有するマグネットシート５が貼着されている。マグネットシート５は、フェライトなどの磁性粉末を塩素化ポリエチレンなどの合成樹脂材（バインダー）に混入したものをシート状に成形した後、この実施例では、片面着磁を施して一方の面（裏面）５ｂにＮ，Ｓの各磁極を交互に帯磁させることにより前記磁気吸着面３を形成している。マグネットシート５は、可撓性があり、０．４〜１．０ｍｍの厚みを有しており、打抜加工により前記開口部５０が形成されている。マグネットシート５の他方の面（表面）５ａは磁気を帯びていない非帯磁面であり、開口部５０に前記フレネルレンズ４０を位置合わせして非帯磁の表面５ａに合成樹脂板４が貼設されている。
【００２４】
この実施例では、両面が粘着面となっている両面粘着シート６を介してマグネットシート５と合成樹脂板４とが貼着されているが、両面粘着シート６に代えて接着剤を用いて両者を貼り合わせてもよい。両面粘着シート６にはマグネットシート５の開口部５０と同一径の開口部６０が設けてあり、その開口部６０とマグネットシート５の開口部５０とが位置合わせされている。
【００２５】
図７〜図１０は、この発明の他の実施例である広告用印刷物１の外観および構成を示している。図示例の広告用印刷物１は、平面形状が長方矩形状であり、厚みが０．６〜１．５ｍｍ程度の薄板状のものである。一方の端部領域にはフレネルレンズ４０より成る円形のレンズ部１０を備えており、表面の側のレンズ部１０を除く領域が広告表示面２、裏面の側のレンズ部１０を除く領域が磁気吸着面３になっている。
【００２６】
この実施例は、合成樹脂板により形成された円形のフレネルレンズ４０と、フレネルレンズ４０の一方の面を臨ませる円形の開口部７０を有するシート材７と、フレネルレンズ４０の他方の面を臨ませる円形の開口部５０を有するマグネットシート５とで構成されている。シート材７の開口部７０とマグネットシート５の開口部５０とはほぼ同一径である。フレネルレンズ４０の径はシート材７およびマグネットシート５の両開口部７０，５０より大きな径に形成されている。各開口部７０，５０にフレネルレンズ４０を臨ませた状態でフレネルレンズ４０の外周縁をシート材７とマグネットシート５との間で挟持している。
【００２７】
マグネットシート５は、上記した第１実施例と同様、一方の面（裏面）５ｂが磁気吸着面３、他方の面（表面）５ａが非帯磁面であり、非帯磁の表面５ａに両面粘着シート６の一方の粘着面を貼着し、他方の粘着面にシート材７を貼着している。両面粘着シート６にはマグネットシート５の開口部５０と同一径の開口部６０が設けてあり、その開口部６０とマグネットシート５の開口部５０とを位置合わせすることで、フレネルレンズ４０の外周縁がマグネットシート５の開口部５０の周縁に貼着される。なお、フレネルレンズ４０およびマグネットシート５の構成は前記した第１実施例と同様であり、ここでは説明を省略する。
【００２８】
前記シート材７は、例えば、紙材の表面に合成樹脂製のフィルムを圧着して接着剤により貼り合わされたものであり、紙材の表面またはフィルムの表面に広告のための印刷を施して広告表示面２を形成している。シート材７にはフレネルレンズ４０を臨ませる開口部７０が形成されており、フレネルレンズ４０をマグネットシート５との間で挟むとき、フレネルレンズ４０の外周縁はマグネットシート５の開口部５０の周縁に両面粘着シート６によって貼着保持されるとともに、シート材７の開口部７０の周縁によって押圧保持される。なお、シート材７は単なる紙材により構成してもよく、合成樹脂製の薄板により構成してもよい。
【００２９】
上記の各実施例では、レンズ部１０は真円形状に形成されているが、これに限らず、図１１に示すように、正方形状や長方形状に形成してもよく、また、楕円形、三角形など、それ以外の形状に形成してもよい。
また、上記の各実施例では、レンズ部１０は一方の端部領域に設けられているが、これに限らず、図１２に示すように、中央部の領域に設けてもよい。
さらに、上記の各実施例は、外形が矩形状に形成されているが、これに限らず、図１３に示すように、円形状の外形であってもよい。
【００３０】
図１４および図１５は、図１〜図６の第１実施例において、全体の形状を葉書の形状および大きさに形成されたものであり、裏面の磁気吸着面３に弱粘着の粘着剤を介して剥離シート８が貼着されている。この剥離シート８の表面には宛名書き面８０が形成されており、この宛名書き面８０に郵便番号や宛名を書いて切手を貼れば、宛先へ郵送できるようになっている。なお、その他の構成は第１実施例と同様の構成であり、ここでは対応する構成に同一の符号を付することで説明を省略する。
【００３１】
上記した構成の広告用印刷物１は、裏面の側が磁気吸着面３であるので、冷蔵庫などの表面に磁気吸着させて保管することができる。このとき、表面の側の広告表示面２は随時人目に触れるので、広告表示面２に商品やサービスの広告が印刷されていると、宣伝、広告効果が高められる。また、広告表示面２に水道、ガス、電気などの故障やトラブルが発生したときに修理を依頼できる業者の名称や連絡先などが印刷されていると、トラブル発生時、即座に必要な情報を取得できる。さらに、この実施例の広告用印刷物１は、実用上の有益な機能としてレンズ部１０による拡大鏡の機能を具備しているので、小さな文字を読むのに便利であり、広告表示面２の印刷内容の如何を問わず、即座に廃棄されるのが防止され、宣伝、広告の効果が期待できる。そのうえ、広告用印刷物１は薄板状で嵩張らないので、冷蔵庫などの表面に磁気吸着させたとき、突出することがなく邪魔にならず、引っ掛けて脱落するおそれもない。
【符号の説明】
【００３２】
１    広告用印刷物
２    広告表示面
３    磁気吸着面
４    合成樹脂板
５    マグネットシート
６    両面粘着シート
７    シート材
８    剥離シート
１０  レンズ部
４０  フレネルレンズ
５０，７０  開口部
【図１】
2016212317.tif 000003
【図２】
2016212317.tif 000004
【図３】
2016212317.tif 000005
【図４】
2016212317.tif 000006
【図５】
2016212317.tif 000007
【図６】
2016212317.tif 000008
【図７】
2016212317.tif 000009
【図８】
2016212317.tif 000010
【図９】
2016212317.tif 000011
【図１０】
2016212317.tif 000012
【図１１】
2016212317.tif 000013
【図１２】
2016212317.tif 000014
【図１３】
2016212317.tif 000015
【図１４】
2016212317.tif 000016
【図１５】
2016212317.tif 000017